(57)【特許請求の範囲】
【請求項１】
遊技機による遊技に使用される遊技用有価価値の大きさを特定可能な情報が記録された遊技用記録媒体の発行を行う遊技用記録媒体発行装置と、前記遊技用記録媒体の発行に供することが可能な有価価値の大きさを特定可能な表示情報を発行する発行サーバと、から成る遊技用記録媒体発行システムであって、
前記発行サーバは、
各遊技者の利用者ＩＤに対応付けて前記有価価値の大きさと前記表示情報に変換可能な表示情報データとを記憶するためのデータベースを有し、
遊技者が所持する情報端末から発行操作を受付けたことに応じて、該遊技者の利用者ＩＤに対応付けて前記データベースに記憶されている有価価値の大きさと表示情報データとを、該発行操作にて受付けた有価価値の大きさと該発行操作について発行した表示情報の表示情報データに更新し、
前記遊技用記録媒体発行装置は、
前記情報端末の表示部に表示される前記発行サーバにより発行された表示情報を光学的に読み取る読み取り手段と、
該読み取った表示情報に対応して前記データベースに記憶されている有価価値の大きさを、前記発行サーバに問い合わせて特定する有価価値特定手段と、
前記有価価値特定手段にて特定された前記有価価値の大きさの範囲内に該当する遊技用記録媒体の発行を行う発行手段と、
前記発行手段による遊技用記録媒体の発行に使用された精算有価価値の大きさと前記読み取り手段にて該読み取った表示情報の表示情報データとを含む決済要求を送信する決済要求送信手段と、
を具備し、
前記発行サーバは、
前記決済要求に含まれる表示情報データに対応付けて前記データベースに記憶されている有価価値の大きさから該決済要求に含まれる精算有価価値の大きさを減算更新する
ことを特徴とする遊技用記録媒体発行システム。
【請求項２】
前記遊技用記録媒体発行装置は、貨幣を受付け、該受付け貨幣の識別を行う貨幣処理手段と、前記有価価値特定手段にて特定された有価価値の大きさと、前記貨幣処理手段における受付け貨幣による有価価値の大きさとを合算する合算手段と、を具備し、前記発行手段は前記合算された大きさの有価価値に基づく遊技用記録媒体の発行を行う請求項１に記載の遊技用記録媒体発行システム。
【請求項３】
前記発行手段は、記録情報により特定される遊技用有価価値の大きさの異なる複数種の遊技用記録媒体を発行可能とされ、該発行手段より発行される遊技用記録媒体の種別を選択する種別選択部を具備する請求項１または２に記載の遊技用記録媒体発行システム。
【請求項４】
前記遊技用記録媒体発行装置が、前記遊技用記録媒体を受付ける受付け部を有し、前記有価価値特定手段或いは前記合算手段による大きさの有価価値を、該受付けた遊技用記録媒体の記録情報から特定される遊技用有価価値の大きさに対して加算更新する価値加算処理を実施する価値加算処理手段を具備する請求項１〜３のいずれかに記載の遊技用記録媒体発行システム。
【請求項５】
前記表示情報が情報記録シンボルである請求項１〜４のいずれかに記載の遊技用記録媒体発行システム。
【請求項６】
前記読み取り手段が、遊技者に対面しないように設けられている請求項１〜５のいずれかに記載の遊技用記録媒体発行システム。
【請求項７】
前記読み取り手段は、その読み取り部の開口方向が略垂下方向となるように設けられている請求項６に記載の遊技用記録媒体発行システム。
【請求項８】
前記読み取り手段における読み取りの完了を報知する報知手段を具備する請求項１〜７のいずれかに記載の遊技用記録媒体発行システム。
【発明の詳細な説明】
【０００１】
【発明の属する技術分野】
本発明は、遊技場に設置されている遊技機にて、遊技に使用することのできる遊技用有価価値の大きさを特定可能な情報が記録されたプリペイドカード等の遊技用記録媒体の発行を行う遊技用記録媒体発行システムに関する。
【０００２】
【従来の技術】
近年、従来の貨幣にて遊技媒体であるパチンコ玉やコインを貸し出す方式に比較して、投入された貨幣を各貸出装置より逐次回収するための労力等を省くことができる等の利点から、多くの遊技場においてプリペイドカード等の遊技用記録媒体を用いて遊技を実施可能な遊技用装置が使用されており、遊技場内の所定位置、例えば遊技島の端部位置に前記遊技用記録媒体の発行を行う発行装置が設けられている。また、これら発行装置における発行機能を遊技島に設置される遊技機間に各遊技機に対応して設けられている貸出装置であるカードユニット自体に設けたものがある。
【０００３】
【発明が解決しようとする課題】
これらプリペイドカード等の遊技用記録媒体の発行を行う遊技用記録媒体発行装置においては、現状において予め定められた所定金額、例えば２０００円や３０００円或いは５０００円等の金額のプリペイドカードを貨幣の投入により発行可能とされているが、遊技者がこれらプリペイドカードの発行を受ける際に前記所定金額に満たない貨幣しか持ち合わせがない場合には、銀行やキャッシュデスペンサー（ＡＴＭ）等に出向いて貨幣を口座より引き出す必要があり面倒であるばかりか、遊技者が遊技を実施中にプリペイドカードの残数が無くなって新たなカードの発行を受けたい場合において前記持ち合わせている貨幣が不足している場合においては、遊技をしていた遊技台を占拠した状態にて前記貨幣の引き出しに出向く遊技者もおり、遊技台の稼働率が低下してしまうという問題もあった。
【０００４】
よって、本発明は上記した問題点に着目してなされたもので、持ち合わせている貨幣がカードの発行に必要とされる金額に満たない場合においても、貨幣を引き出す面倒がなく、これら貨幣の引き出しに出向くこと等に伴う遊技台の稼働率低下を大幅に低減することのできる遊技用記録媒体発行システムを提供することを目的としている。
【０００５】
【課題を解決するための手段】
上記課題を解決するために、本発明の遊技用記録媒体発行システムは、遊技機による遊技に使用される遊技用有価価値の大きさを特定可能な情報が記録された遊技用記録媒体の発行を行う遊技用記録媒体発行装置と、前記遊技用記録媒体の発行に供することが可能な有価価値の大きさを特定可能な表示情報を発行する発行サーバと、から成る遊技用記録媒体発行システムであって、
前記発行サーバは、
各遊技者の利用者ＩＤに対応付けて前記有価価値の大きさと前記表示情報に変換可能な表示情報データとを記憶するためのデータベースを有し、
遊技者が所持する情報端末から発行操作を受付けたことに応じて、該遊技者の利用者ＩＤに対応付けて前記データベースに記憶されている有価価値の大きさと表示情報データとを、該発行操作にて受付けた有価価値の大きさと該発行操作について発行した表示情報の表示情報データに更新し、
前記遊技用記録媒体発行装置は、
前記情報端末の表示部に表示される前記発行サーバにより発行された表示情報を光学的に読み取る読み取り手段と、
該読み取った表示情報に対応して前記データベースに記憶されている有価価値の大きさを、前記発行サーバに問い合わせて特定する有価価値特定手段と、
前記有価価値特定手段にて特定された前記有価価値の大きさの範囲内に該当する遊技用記録媒体の発行を行う発行手段と、
前記発行手段による遊技用記録媒体の発行に使用された精算有価価値の大きさと前記読み取り手段にて該読み取った表示情報の表示情報データとを含む決済要求を送信する決済要求送信手段と、
を具備し、
前記発行サーバは、
前記決済要求に含まれる表示情報データに対応付けて前記データベースに記憶されている有価価値の大きさから該決済要求に含まれる精算有価価値の大きさを減算更新する
ことを特徴によれば、十分な貨幣を持ち合わせていなくても、遊技者は自分の所有する情報端末、例えば携帯電話等を用いて遊技用記録媒体の発行を受けられるようになることから、貨幣を引き出す面倒を解消できるばかりか、これら貨幣の引き出しに出向くこと等に伴う遊技台の稼働率低下も大幅に低減することができる。
【０００６】
本発明の遊技用記録媒体発行システムの前記遊技用記録媒体発行装置は、貨幣を受付け、該受付け貨幣の識別を行う貨幣処理手段と、前記有価価値特定手段にて特定された有価価値の大きさと、前記貨幣処理手段における受付け貨幣による有価価値の大きさとを合算する合算手段と、を具備し、前記発行手段は前記合算された大きさの有価価値に基づく遊技用記録媒体の発行を行うことが好ましい。
このようにすれば、前記有価価値特定手段にて特定された有価価値の大きさが発行を受けたい遊技用記録媒が該当する金額に不足している場合において、貨幣を投入することで、前記合算手段によって該投入貨幣の有価価値の大きさが前記有価価値特定手段にて特定された有価価値と合算され、該合算された大きさの有価価値を遊技用記録媒体の発行に供することが可能となり、貨幣投入にて不足金額を補充することができ、遊技者の利便性を向上できる。
【０００７】
本発明の遊技用記録媒体発行システムは、前記発行手段は、記録情報により特定される遊技用有価価値の大きさの異なる複数種の遊技用記録媒体を発行可能とされ、該発行手段より発行される遊技用記録媒体の種別を選択する種別選択部を具備することが好ましい。
このようにすれば、遊技者は希望する遊技用有価価値の大きさの遊技用記録媒体を選択して発行を受けられる。
【０００８】
本発明の遊技用記録媒体発行システムの前記遊技用記録媒体発行装置が、前記遊技用記録媒体を受付ける受付け部を有し、前記有価価値特定手段或いは前記合算手段による大きさの有価価値を、該受付けた遊技用記録媒体の記録情報から特定される遊技用有価価値の大きさに対して加算更新する価値加算処理を実施する価値加算処理手段を具備することが好ましい。
このようにすれば、既に発行されている遊技用記録媒体への価値加算処理が可能となり、遊技用記録媒体の発行枚数並びに発行コストを低減できる。
【０００９】
本発明の遊技用記録媒体発行システムは、前記表示情報が情報記録シンボルであることが好ましい。
このようにすれば、表示情報の内容を情報端末の所持者や第三者に把握され難くできるばかりか、前記読み取り手段による読み取り精度を向上できる。
【００１０】
本発明の遊技用記録媒体発行システムは、前記読み取り手段が、遊技者に対面しないように設けられていることが好ましい。
このようにすれば、読み取り用の比較的高強度の光が遊技者に向けて照射され、誤って遊技者の目に入射する危険性を大幅に低減できる。
【００１１】
本発明の遊技用記録媒体発行システムは、前記読み取り手段は、その読み取り部の開口方向が略垂下方向となるように設けられていることが好ましい。
このようにすれば、遊技者は、情報端末の表示部を上方に向けた状態にて読み取りを受けることが可能となり、該読み取りの操作性を向上できる。
【００１２】
本発明の遊技用記録媒体発行システムは、前記読み取り手段における読み取りの完了を報知する報知手段を具備することが好ましい。
このようにすれば、遊技者は、読み取りの完了を知覚できるようになる。
【００１３】
【発明の実施の形態】
以下、図面に基づいて本発明の実施形態を説明する。なお、以下の説明において、遊技機の一例として遊技媒体としてパチンコ球を使用して遊技を実施する通常のパチンコ遊技機を示すが、本発明に係る遊技機はこれらパチンコ遊技機に限定されるものではなく、これら遊技機を、パチンコ球を用いたスロットマシンやパチンコ球が指触不能に封入された封入式パチンコ機としたり、遊技媒体としてコインを使用するコイン遊技機やスロットマシン、更にはこれらコインを用いずに遊技を実施可能なスロットマシン等にも適用可能である。
【００１４】
（実施例）
本実施例における遊技用記録媒体発行装置である発行入金機４は、図１に示すように、遊技場に複数配置された各遊技島１の島端に設置されている。これら各発行入金機４は、図２に示すように、遊技場の所定箇所に設置されたターミナルコンピュータ６に接続されており、該ターミナルコンピュータ６並びに専用回線１２を介して遊技用記録媒体であるプリペイドカードのカード会社に設置されている管理コンピュータ１１に接続され、該管理コンピュータ１１との各種のデータ送受が実施可能とされている。
【００１５】
また、本実施例に用いた情報端末である携帯電話５は、図２に示すように、携帯電話５との間において電波の送受を行う基地局７に接続されたゲートウェイサーバ８を介してインターネット網９に接続可能とされており、該インターネット網９に接続された各種サイトにアクセスできるようになっており、これらインターネット網９にバーコードサービス提供会社のサーバコンピュータ１０が接続されていて、前記携帯電話５から前記インターネット網９を通じてバーコードサービス提供会社のサーバコンピュータ１０にアクセスできるようになっている。
【００１６】
また、このサーバコンピュータ１０と前記カード会社に設置されている管理コンピュータ１１は、図２に示すように、専用線１４にて接続されていて、前記サーバコンピュータ１０において発行されたバーコードに対応する残金を、管理コンピュータ１１が問い合わせできるように構成されている。
【００１７】
まず、前記遊技場に設置された遊技島１には、図１に示すように遊技機としてのパチンコ機２と該パチンコ機２に対応して設けられるカードユニット３とが複数並設されており、これら各カードユニット３は前記ターミナルコンピュータ６にデータ通信可能に接続されていて、前記発行入金機４において発行される後述の遊技用記録媒体としてのプリペイドカードであるＩＣカード１３（図６参照）を受付け、該受付けたＩＣカード１３より読み出したプリペイドＩＤを前記ターミナルコンピュータ６に送信することで、該ターミナルコンピュータ６にプリペイドＩＤに対応付けて登録されている遊技用有価価値である度数が各カードユニット３に返信されることで、これら返信された度数を使用して対応するパチンコ機２に所定数のパチンコ玉の払出を実施させる貸出処理が実施可能とされており、該払い出されたパチンコ玉を用いてパチンコ機２における遊技が実施できるようになっている。
【００１８】
次いで、これら遊技島１の島端に設置される本実施例の遊技用記録媒体発行装置としての発行入金機４を図３並びに図４に基づき説明すると、該発行入金機４、遊技場内に設置された複数の遊技島１の島端に配置され、その外観形状は図３に示すようになっており、本体部を成す筐体２２の前面に、後述するＩＣカード１３の発行並びに追加入金が実施可能であることを利用者に報知するための作動表示部２１と、発行並びに追加入金処理が実施中であることを利用者に報知するための処理中ランプ２７と、硬貨投入口２４と紙幣挿入口２５とから成る貨幣投入部２３と、これら投入された貨幣金額並びに後述するバーコード読取部４０にて読み取られたバーコードにて特定される金額との合計金額を逐次表示するための合計金額表示部３８と、２０００円、３０００円、５０００円の各ボタンとから成りＩＣカード１３の発行金額や追加入金額を選択するための種別選択部としての金額選択入力部３３と、前記ＩＣカード１３の発行並びに追加入金の処理を中断して投入された貨幣や挿入されたＩＣカード１３の返却を実施する中止／返却ボタン３４と、ＩＣカード１３を挿入並びに発行可能とされた受付け部としてのＩＣカード挿入口３０と、該ＩＣカード挿入口３０からのＩＣカード１３の排出を報知するカードインジケータ２９と、投入された硬貨が排出される硬貨返却口３１と、貨幣投入によるＩＣカード１３の発行に伴う余剰金額として払い出される紙幣が排出される紙幣排出口３２と、前記紙幣挿入口２５・硬貨返却口３１・紙幣排出口３２の各近傍に設けられ、硬貨または紙幣の返却を利用者に報知する硬貨インジケータ３６及び紙幣インジケータ３５、３７と、利用者が所持する前記携帯電話５の表示部に表示されるバーコードを読み取るバーコード読取部４０と、該読み取り部４０におけるバーコードの読み取りが完了したことを報知するための報知手段としての読取完了ランプ４１と、が設けられている。
【００１９】
この発行入金機４の内部構造は、図４のブロック図に示すようになっており、前記作動表示部２１や、合計金額表示部３８や、処理中ランプ２７や、上限額超過報知ランプ２８や、読取完了ランプ４１や、金額選択入力部３３や、中止／返却ボタン３４や、カードインジケータ２９や、硬貨及び紙幣インジケータ３６、３５、３７とともに、前記硬貨投入口２４に連設され、投入される硬貨の識別を行う貨幣処理手段としての硬貨識別ユニット４２と、前記紙幣挿入口２５に連設され、投入紙幣の識別を行う貨幣処理手段としての紙幣識別ユニット４３と、前記合計金額表示部３８の表示動作の制御を行う表示ドライバ４７と、前記ＩＣカード挿入口３０に連設され、挿入されているＩＣカード１３に記録されている情報の読み出し並びに書き込みを行うとともに、該ユニット後部に発行されるＩＣカード１３を貯溜するカード貯留部９６を具備する発行手段並びに価値加算処理手段としてのＩＣカードリーダライタ２６と、前記紙幣排出口３２に連設され、ＩＣカード１３の発行に伴う余剰金額に該当する紙幣の払い出しを実施する紙幣払い出しユニット４４と、前記バーコード読取部４０内に設けられ、図５に示すように、その下方位置に携帯電話５の表示部に表示されたバーコードを光学的に読み取り、該読み取ったバーコードを所定の数値データに変換して出力するためのバーコードリーダ４６と、該バーコードリーダ４６にて読み取ったバーコードデータや、前記ＩＣカード１３より読み出しまたは書き込みされる各種データが記憶されるとともに、後述するＭＰＵ４８の制御内容が記述された制御プログラム等が記憶された記憶装置４５と、通信ケーブルを介して前記ターミナルコンピュータ６とデータ通信を行うための通信部４９と、これら各部の制御や後述するＩＣカード１３の発行に伴う処理並びに追加入金処理等を行う有価価値特定手段並びに合算手段としてのマイクロプロセッシングユニット（ＭＰＵ）４８と、を具備しており、これら各部は図４に示すように接続されている。
【００２０】
本実施例に用いた前記バーコードリーダ４６は、バーコードにレーザー等の光源を照射し、該光源の反射状況をＣＣＤ（図示略）にて読み取ることでバーコードの配列（線幅）を読み取り、該読み取ったバーコードの配列から、対応する所定の数字配列の出力が可能とされた通常のバーコードリーダであり、該バーコードリーダ４６は、図５に示すように、前記光源の照射方向が下方向き（図中矢印方向）となるように、前記バーコード読み取り部４０の内部に収容されており、このバーコード読み取り部４０の下方位置に、前記バーコードを表示させた携帯電話５の表示パネル５’を配置させることで、該表示パネル５’に表示されているバーコードの読み取りが実施され、この読み取られたバーコードデータが前記ＭＰＵ４８に出力されるようになっている。
【００２１】
これら本実施例のようにバーコードリーダ４６を、前記光源の照射方向を下方とするように配置することは、これら比較的高強度の光源が遊技者と対面しないようになり、これら読取光が誤って遊技者の目に入射する等の危険性を大幅に低減できるようになるとともに、遊技者は所持する携帯電話５の表示パネル５’を上方に向けた状態にて、読み取り位置を確認しながら表示パネル５’に表示されたバーコードを読み取らせることが可能となり、遊技者の操作性を向上できることから好ましいが、本発明はこれに限定されるものではなく、これらバーコードリーダ４６の配置形態等は、前記のように読取光が誤って遊技者の目に入射する等の危険性の少ない配置形態であれば良く、例えば上方の屋上方向に向けて配置するようにしても良いし、これら読取光が誤って遊技者の目に入射する等の危険性の少なくするための措置や手段を別途構じる場合においては、これらバーコードリーダ４６の配置形態等は、利用者である遊技者の操作性を考慮して適宜に選択すれば良い。
【００２２】
また、本実施例の発行入金機４では、前記バーコードリーダ４６でのバーコード読み取りが完了したことを点灯により報知する読取完了ランプ４１が設けられており、このようにすることは、利用者である遊技者がバーコードの読み取りの完了を把握できるようになることから好ましいが、本発明はこれに限定されるものではなく、これら読取完了ランプ４１等の報知手段を適宜に省いた構成としても良い。
【００２３】
また、本実施例では、前記点滅点灯によりバーコードの読み取りが完了したことを報知する読取完了ランプ４１を報知手段として用いているが、本発明はこれに限定されるものではなく、その他の報知手法、例えば音や音声等による報知を実施するようにしても良い。
【００２４】
次いで、本実施例に用いた前記ＩＣカードリーダライタ２６の構成を図６に基づいて説明すると、該ＩＣカードリーダライタ２６の内部には、前記ＩＣカード挿入口３０からのＩＣカード１３の挿入を検知する挿入センサ９７や、前記ＩＣカード挿入口３０から後端側のカード貯留部９６にかけて延設され、ＩＣカード１３がスライド可能とされたガイドレール９８と、該ガイドレール９８を挟むように配設されて、駆動モータ８６、９３、９９にて駆動回転されることによりＩＣカード１３の移動を実施する搬送ローラ８７、８８、９５と、前記搬送ローラ８７、８８の一方側に張架された搬送ベルト９１と、から成る搬送機構や、該搬送されるＩＣカード１３を所定位置に停止させるストップピンの出没を行う電磁ソレノイド８９や、所定位置に停止されたＩＣカード１３への給電やデータ通信を行う通信ヘッド９０や、前記の各部に接続されてその制御を実施する制御基板９２が設けられている。
【００２５】
また、本実施例のＩＣカードリーダライタ２６においては、前記ガイドレール９８の後端側に、発行されるＩＣカード１３が貯留されたカード貯留部９６が設けられており、駆動モータ９９により駆動回転される搬送ローラ９５によって該カード貯留部９６内のＩＣカード１３が移送され、新規のＩＣカード１３として発行可能とされている。尚、図中９４は自由回転によりＩＣカード１３の移送を補助するフリーローラである。
【００２６】
これら本実施例に用いた遊技用記録媒体であるプリペイドカードとしてのＩＣカード１３の構成は、図６に示すように所定厚みとされ、その内部が凹状とされた樹脂製の基体８１の該凹部外周所定位置に、テ−プオ−トボンディング（ＴＡＢ）実装によりその内部にメモリ（図示せず）を内蔵したＩＣチップ８２が実装されるとともに、該ＩＣチップ８２から該基体８１の外周に沿うように設けられたパターンコイル８３を有するフレキシブルプリント基板８４が内挿され、該凹部全面がトップフィルム８５にて覆われた構成とされており、これらＩＣカード１３は、前記ＩＣカードリーダライタ２６に挿入されることで、これらリーダライタから出力される電磁波が前記パターンコイル８３に誘導起電力を生じさせて前記ＩＣチップ８２が動作可能に付勢されるとともに、該パターンコイル８３を介して前記ＩＣカードリーダライタ２６との各種のデータ通信を電磁波により非接触にて実施可能とされた非接触ＩＣカードとされている。
【００２７】
以下、本実施例の発行入金機４におけるＩＣカード１３の発行に伴う処理状況について説明する。
【００２８】
まず、利用者が硬貨及び／または紙幣を使用してＩＣカード１３の発行を受ける場合には、利用者が所望する金額（本実施例では、２０００円、３０００円、５０００円）以上の硬貨及び／または紙幣を前記硬貨投入口２４並びに紙幣挿入口２５に投入する。
【００２９】
該投入された貨幣は、前記硬貨識別ユニット４２及び／または紙幣識別ユニット４３により識別され、これら各識別ユニットより出力される識別情報に基づき前記ＭＰＵ４８は、その合計金額を算出して前記合計金額表示部３８に表示するとともに、前記記憶装置４５に一時記憶する。
【００３０】
該合計金額の表示を確認した後、利用者は前記金額選択入力部３３にて発行を受させたい金額（２０００円、３０００円、５０００円）を選択入力する。
【００３１】
これにより、前記ＭＰＵ４８は、ＩＣカード１３の発行金額を特定し、該発行金額を前記ターミナルコンピュータ６に出力して、該ターミナルコンピュータ６にて発行されるプリペイドＩＤの返信を受けて、該プリペイドＩＤを発行されるＩＣカード１３をＩＣカードリーダライタ２６の所定位置にセットして記録するとともに、前記ＩＣカード挿入口３０より排出・発行する。尚、発行金額を超過する金額の貨幣が投入された場合には、超過した金額分の硬貨または紙幣が前記硬貨返却口３１または紙幣排出口３２より払い出されるようになっている。
【００３２】
次に、前記携帯電話５を所持する利用者である遊技者が、該携帯電話５を用いてプリペイドカード（ＩＣカード）１３の発行を受ける場合について、図８および９に基づき説明すると、利用者である遊技者は、予め自分が所持する携帯電話５にて前記バーコードサービス提供会社のサーバコンピュータ１０にアクセスする。
【００３３】
該アクセスにおいて、携帯電話の表示部５’には、図８（ａ）に示すトップメニューが表示される。この際、利用者である遊技者が該サーバコンピュータ１０に初めてアクセスしてバーコードサービスを受けようとする場合には、トップメニューにある「１、利用登録」を選択して以下の利用登録画面に従って利用登録を実施する。
【００３４】
前記「１、利用登録」を選択した場合には、図８（ｅ）に示す利用者の個人情報の入力画面が携帯電話５の表示部５’に表示され、該表示画面に従って「氏名」や「住所」、「電話番号」並びに「パスワード」を入力し、「送信」を選択する。
【００３５】
該「送信」の選択に基づき、携帯電話５の表示部５’には図８（ｆ）に示すように、利用金額の請求先のクレジットカードに関する情報の入力画面が表示され、利用者は該表示画面に従って「カード会社」、「カード番号」、「有効期限」を入力して「送信」を選択する。
【００３６】
これら携帯電話５から送信された利用者である遊技者の個人情報の並びにカード情報は、前記サーバコンピュータ１０に登録されるとともに、図示しないカード会社のコンピュータに対して遊技者の個人情報並びにカード情報の照会を実施し、そのカードが有効であるかを問い合わせる。
【００３７】
該照会においてカードが有効である場合には、図８（ｇ）に示すように、利用者を特定するための利用ＩＤと利用登録にて利用者が入力したパスワードが返信されて前記図８（ａ）のトップメニュー画面に戻るようになっている。
【００３８】
これら利用登録が終了したか、或いは既に利用登録が終了して既にバーコードの発行を受けている遊技者は、前記図８（ａ）のトップメニュー画面において、「２、バーコード発行」を選択する。該選択に基づき、利用者の携帯電話５の表示部５’には、図８（ｂ）に示すように、利用ＩＤとパスワードの認証画面が表示され、利用者は該表示画面に従って「利用ＩＤ」と「パスワード」とを入力し、「送信」を選択する。
【００３９】
該認証画面にて入力された「利用ＩＤ」と「パスワード」の送信に基づき、前記サーバコンピュータ１０は、送信されてきた「利用ＩＤ」と「パスワード」と、図示しない利用者データベースに登録されている「利用ＩＤ」と「パスワード」とが一致するかを照合し、該照合が一致した場合において、該利用ＩＤに対応してバーコードデータベース（ＤＢ）に登録されている残高が読み出されて、利用者の携帯電話５に送信され、図８（ｃ）に示すように表示される。尚、利用者が新規の場合には、これら残額が「０」である。
【００４０】
利用者は、該表示された残高を参考として、追加したい金額、或いは初めての場合には新たにプリペイドカードの発行に使用したい金額をポップアップメニューから選択して「送信」を選択する。
【００４１】
この際、例えば前記残額が１０００円で、追加する金額として４０００円を選択した場合においては、選択した４０００円が残額である１０００円に加算されて新たな残額５０００とした新規なバーコードデータが生成されて、前記バーコードデータベース（ＤＢ）に登録され、それまでに登録されていた旧バーコードデータは無効とされる。この新たに生成されたバーコードデータは、該バーコードデータに基づくバーコード（画像）に変換されて携帯電話５に送信されて図８（ｄ）に示すように表示される。利用者はこの表示された画面を登録してアクセスを終了する。
【００４２】
以下、図９に基づいて、前記発行されたバーコードに基づくプリペイドカード（ＩＣカード１３）の発行状況について説明すると、まず、このバーコード（画像）の発行を受けた遊技者は、該携帯電話５の表示部５’に前記発行を受けたバーコード（画像）を表示させた後、該携帯電話５を図５に示すように、前記バーコード読取部４０の下方位置に、表示部５’を上方に向けて配置する。
【００４３】
該携帯電話５の配置を受けてバーコードリーダ４６は、表示部５’に表示されているバーコードを読み取り、該読み取りが完了してバーコードリーダ４６から読み取ったバーコードに該当する数字配列（バーコードデータ）が出力されてきた場合に、前記ＭＰＵ４８が前記読取完了ランプ４１を点滅点灯して利用者である遊技者に読み取りの完了を報知する。
【００４４】
次いで、ＭＰＵ４８は前記バーコードリーダ４６から出力されたバーコードデータを前記記憶装置４５に一時記憶するとともに、前記ターミナルコンピュータ６に対して、バーコードデータと金額照合指示とを出力する。
【００４５】
このバーコードデータと金額照合指示の出力は、ターミナルコンピュータ６からカード会社に設置されている前記管理コンピュータ１１に出力され、該管理コンピュータ１１に専用回線１４にて接続されている前記バーコードサービス提供会社のサーバコンピュータ１０にバーコードデータに対応する残金の問い合わせが実施される。
【００４６】
該問い合わせに対しサーバコンピュータ１０は、問い合わせされてきたバーコードデータに対応して前記バーコードデータベース（ＤＢ）に登録されている残金額（５０００円）を返信する。
【００４７】
該管理コンピュータ１１に返信された残金額（５０００円）は、同様にターミナルコンピュータ６を介して発行入金機４に返信され、該返信された残金額（５０００円）が前記ＭＰＵ４８により前記記憶装置４５に一時記憶されるとともに、該残金額（５０００円）が前記合計金額表示部３８に表示される。
【００４８】
利用者である遊技者は、該合計金額表示部３８に表示された金額である５０００円の範囲内で新たに発行を受けたいプリペイドカードの金額を、前記金額選択入力部３３より選択、例えば３０００円を選択する。
【００４９】
この際、前記合計金額表示部３８に表示された金額が例えば２０００円であって、利用者である遊技者が５０００円のプリペイドカードの発行を受けたい場合には、前記貨幣投入部２３にて３０００円の紙幣或いは硬貨を投入することで、前記ＭＰＵ４８は、該投入された貨幣による金額を前記バーコードによる金額２０００円に随時加算して、最終的には投入貨幣による３０００円をバーコードによる金額２０００円に加算した５０００円を前記合計金額表示部３８に表示することで、該５０００円のプリペイドカードの発行を受けられるようになっている。
【００５０】
このように、バーコードによる残額に対し、貨幣を投入することでプリペイドカードの発行に使用できる金額を補充できるようにすることは、利用者である遊技者の利便性を向上できることから好ましいが、本発明はこれに限定されるものではなく、これら貨幣投入による発行に使用可能な金額の補充機能を有しない構成としても良い。
【００５１】
前記金額選択入力部３３における選択に基づき前記ＭＰＵ４８は、選択された金額が前記合計金額表示部３８に表示されている金額以下であるかを確認し、該確認において選択金額が表示金額以下である場合において選択金額を発行金額と特定し、該発行金額を前記ターミナルコンピュータ６へ出力する。
【００５２】
これに基づいてターミナルコンピュータ６は、新規に発行するプリペイドカードに遊技用有価価値である度数を特定可能な情報として記録するプリペイドＩＤを生成し、該生成したプリペイドＩＤを発行入金機４に返信する。
【００５３】
該プリペイドＩＤの返信に基づき発行入金機４のＭＰＵ４８は、発行するＩＣカード１３をＩＣカードリーダライタ２６の所定位置にセットして、該ＩＣカード１３に予め登録されているカードＩＤを読み出すとともに、前記ターミナルコンピュータ６より受信したプリペイドＩＤをＩＣカード１３に記録した後、前記ＩＣカード挿入口３０より排出・発行する。
【００５４】
該発行に伴いＭＰＵ４８は、前記ＩＣカード１３より読み出したカードＩＤ並びにバーコードデータと該バーコードデータによる残額から発行に使用した金額である精算金額と発行完了の旨の情報とを前記ターミナルコンピュータ６に送信し、該送信を受けたターミナルコンピュータ６は、前記管理コンピュータ１１に対し、発行したプリペイドカードであるＩＣカード１３のカードＩＤ、前記プリペイドＩＤ、発行金額、バーコードデータ、精算金額とを送信する。
【００５５】
これらのデータを受信した管理コンピュータ１１は、受信したデータをプリペイドカードデータベース（ＤＢ）に登録するとともに、前記バーコードの残額より使用された精算金額に相当する３０００円の支払い要求を、前記バーコードデータとともにバーコードサービス提供会社のサーバコンピュータ１０に出力することで、該サーバコンピュータ１０のバーコードデータベース（ＤＢ）にて前記バーコードデータに対応して登録されている残金である５０００円から３０００円が減額されて新たな残金である２０００に残金が更新されるとともに、該３０００円のカード会社への支払い指示が、図示しない金融機関である銀行に対し実施されるようになっている。
【００５６】
また、本実施例では、前述のように発行されたＩＣカード１３を遊技島１におけるパチンコ機２の遊技に使用して残存する度数が少なくなった場合に、該ＩＣカード１３を発行入金機４のＩＣカード挿入口３０に挿入して、該ＩＣカード１３に記録されている度数を加算更新する追加入金処理が実施可能とされている。
【００５７】
以下本実施例の発行入金機４における追加入金処理の状況について説明する。
【００５８】
まず、利用者が所持するＩＣカード１３に追加入金したい場合には、該ＩＣカード１３をＩＣカード挿入口３０より挿入する。これにより挿入されたＩＣカード１３はＩＣカードリーダライタ２６により内部に取り込まれ、記録されているカードＩＤとプリペイドＩＤが読み出され、該カードＩＤとプリペイドＩＤとが前記ターミナルコンピュータ６に出力される。
【００５９】
該出力を受けてターミナルコンピュータ６は、カードＩＤとプリペイドＩＤとが登録データと一致するかを確認するとともに、該照合が一致した場合において、該送信されてきたプリペイドＩＤに対応して登録されている度数を発行入金機４に返信し、該返信に基づき前記ＭＰＵ４８は、返信されてきた度数を記憶装置４５に一時記憶する。
【００６０】
ここで、利用者が携帯電話５を用いて追加入金処理を実施する場合には、前記発行の場合と同様に、携帯電話５の表示部５’に前記発行を受けたバーコード（画像）を表示させた後、該携帯電話５を図５に示すように、前記バーコード読取部４０の下方位置に、表示部５’を上方に向けて配置する。
【００６１】
該携帯電話５の配置を受けてバーコードリーダ４６は、表示部５’に表示されているバーコードを読み取り、該読み取りが完了してバーコードリーダ４６から読み取ったバーコードに該当する数字配列（バーコードデータ）が出力されてきた場合に、前記ＭＰＵ４８が前記読取完了ランプ４１を点滅点灯して利用者である遊技者に読み取りの完了を報知する。
【００６２】
次いで、ＭＰＵ４８は前記バーコードリーダ４６から出力されたバーコードデータを前記記憶装置４５に一時記憶するとともに、前記ターミナルコンピュータ６に対して、バーコードデータと金額照合指示とを出力することで、該バーコードデータが前記管理コンピュータ１１を介してバーコードサービス提供会社のサーバコンピュータ１０に送信されて、該サーバコンピュータ１０からの残金、具体的には前記プリペイドカードの発行に使用した３０００円を除した２０００円の残金額データが管理コンピュータ１１並びにターミナルコンピュータ６を介して返信され、該返信された残金データが前記記憶装置４５に一時記憶されるとともに、前記合計金額表示部３８に表示される。
【００６３】
該表示に基づき、遊技者が２０００円の追加入金をしたい場合には、前記金額選択入力部３３にて「２０００円」のボタンを押圧操作し、遊技者が２０００円よりも大きな金額の追加入金をしたい場合には、前記貨幣投入部２３より不足している金額、例えば３０００円を追加入金したい場合には、不足している「１０００円」の貨幣を貨幣投入部２３より投入することで、該投入金額が前記バーコードによる金額に加算されて「３０００円」が前記合計金額表示部３８に表示され、遊技者は該表示を確認して前記金額選択入力部３３にて「３０００円」のボタンを押圧操作する。
【００６４】
これら金額選択入力部３３の選択操作に基づいて、前記ＭＰＵ４８は、追加入金の金額を特定するとともに、該特定した追加入金金額と挿入されたプリペイドカードに記録されていたカードＩＤとプリペイドＩＤとを前記ターミナルコンピュータ６へ送信し、該送信を受けたターミナルコンピュータ６は、該プリペイドＩＤに対応して登録されている度数を特定するとともに、該度数に追加入金金額が相当する度数を加算して新たな度数を算出し、該算出した新たな度数に対応するプリペイドＩＤを生成して前記古いプリペイドＩＤを新たに生成したプリペイドＩＤに更新し、該新たなプリペイドＩＤを発行入金機４へ返信する。
【００６５】
該返信に基づき前記ＭＰＵ４８は、返信されてきた新たなプリペイドＩＤを受け付けているプリペイドカードであるＩＣカード１３に更新記録した後、前記ＩＣカード挿入口３０より排出・返却するとともに、これら追加入金に使用されたバーコードデータと精算金額とを前記ターミナルコンピュータ６へ送信することで、これらバーコードデータと精算金額の情報が、前記管理コンピュータ１１を介してバーコードサービス提供会社のサーバコンピュータ１０に送信されることで、該サーバコンピュータ１０のバーコードデータベース（ＤＢ）にて前記バーコードデータに対応して登録されている残金である２０００円から２０００円が減額されて新たな残金である０に残金が更新されるとともに、該２０００円のカード会社への支払い指示が、図示しない金融機関である銀行に対し実施されるようになっている。
【００６６】
また、利用者は、これら返却されたプリペイドカードであるＩＣカード１３を前記カードユニット３に挿入することで、前記更新記録された新たなプリペイドＩＤに基づき、追加入金後の新たな度数が前記ターミナルコンピュータ６より返信されて特定されるようになり、該新たな度数を遊技に使用できるようになる。
【００６７】
また、前記では、携帯電話５を用いて追加入金を実施する状況について説明したが、本実施例の発行入金機４では、前記携帯電話５を用いずに貨幣のみを用いて、発行済みのプリペイドカードに対して追加入金を実施できるようになっており、その手順としては、前記した貨幣による不足金額の補充手順において、携帯電話５からのバーコードの読み取りを実施しない手順とされている。
【００６８】
以上説明したように、本実施例の発行入金機４は、利用者が十分な貨幣を持ち合わせていなくても、所持する情報端末である携帯電話５を用いて遊技用記録媒体でであるプリペイドカードとしてのＩＣカード１３の発行を受けられるようになることから、銀行等に出向き貨幣を引き出す面倒を解消できるばかりか、これら貨幣の引き出しに出向くこと等に伴うパチンコ機２の稼働率低下も大幅に低減することができる。
【００６９】
また、本実施例の発行入金機４では、ＰＨＳ端末５との非接触通信により該ＰＨＳ端末５に搭載されている電子マネー用ＩＣチップ６８の内部メモリに記憶されている金額情報を入手し、該金額情報に基づく金額を特定可能とされており、該特定された金額を電子マネーとして使用してＩＣカード１３の発行や追加入金処理が実施できるようになっている。
【００７０】
また、本実施例の発行入金機４では、２０００円、３０００円、５０００円から成る金額選択入力部３３が設けられており、該金額選択入力部３３を選択入力することで、利用者が希望する金額の度数が記録されたＩＣカード１３が発行されるようになり、利用者は所望の金額にてＩＣカード１３の発行や追加入金を実施できる。
【００７１】
また、本実施例の発行入金機４では、携帯電話５を利用せずとも、利用者が紙幣及び硬貨を投入することでプリペイドカードであるＩＣカード１３の発行が実施できるようになっており、携帯端末用の発行入金機と貨幣専用の発行入金機とを個別に設ける必要がなく、限られた遊技場のスペースを有効に活用できる。
【００７２】
また、本実施例の発行入金機４では、携帯電話５に表示されたバーコードを利用して特定される金額と利用者が投入した紙幣や硬貨の金額とが合算され、該合算された金額に基づき前記プリペイドカードであるＩＣカード１３の発行や追加入金処理を実施できるようになっており、利用者の利便性を向上できる。
【００７３】
前記各実施例における各要素は、本発明に対して以下のように対応している。
本発明の請求項１は、遊技機（パチンコ機２）による遊技に使用される遊技用有価価値（度数）の大きさを特定可能な情報（プリペイドＩＤ）が記録された遊技用記録媒体（プリペイドカード；ＩＣカード１３）の発行を行う遊技用記録媒体発行装置（発行入金機４）と、前記遊技用記録媒体の発行に供することが可能な有価価値の大きさを特定可能な表示情報を発行する発行サーバと、から成る遊技用記録媒体発行システムであって、前記発行サーバは、遊技者（利用者）が所持する情報端末（携帯電話５）から発行操作を受付けたことに応じて、該遊技者の利用者ＩＤに対応付けて前記データベースに記憶されている有価価値の大きさと表示情報データとを、該発行操作にて受付けた有価価値の大きさと該発行操作について発行した表示情報の表示情報データに更新し、前記遊技用記録媒体発行装置は、前記情報端末の表示部５’に表示される前記発行サーバにより発行された表示情報（バーコード）を光学的に読み取る読み取り手段（バーコードリーダ４６）と、該読み取った表示情報（バーコード）に対応して前記発行サーバに記憶されている有価価値（残金額）の大きさを、前記発行サーバに問い合わせて特定する有価価値特定手段（ＭＰＵ４８、通信部４９）と、前記有価価値特定手段（ＭＰＵ４８、通信部４９）にて特定された前記有価価値（残金額）の大きさの範囲内に該当する遊技用記録媒体（プリペイドカード；ＩＣカード１３）の発行を行う発行手段（ＭＰＵ４８、ＩＣカードリーダライタ２６）と、前記発行手段による遊技用記録媒体の発行に使用された精算有価価値の大きさと前記読み取り手段にて該読み取った表示情報の表示情報データとを含む決済要求を送信する決済要求送信手段と、を具備し、前記発行サーバは、前記決済要求に含まれる表示情報データに対応付けて前記データベースに記憶されている有価価値の大きさから該決済要求に含まれる精算有価価値の大きさを減算更新する。
【００７４】
本発明の請求項２は、前記遊技用記録媒体発行装置は、貨幣（硬貨、紙幣）を受付け、該受付け貨幣（硬貨、紙幣）の識別を行う貨幣処理手段（硬貨識別ユニット４２、紙幣識別ユニット４３）と、前記有価価値特定手段（ＭＰＵ４８、通信部４９）にて特定された有価価値（残金額）の大きさと、前記貨幣処理手段（硬貨識別ユニット４２、紙幣識別ユニット４３）における受付け貨幣による有価価値（受付け金額）の大きさとを合算する合算手段（ＭＰＵ４８）と、を具備し、前記発行手段（ＭＰＵ４８、ＩＣカードリーダライタ２６）は前記合算された大きさの有価価値（合計金額）に基づく遊技用記録媒体（プリペイドカード；ＩＣカード１３）の発行を行う。
【００７５】
本発明の請求項３は、前記発行手段（ＭＰＵ４８、ＩＣカードリーダライタ２６）は、記録情報（プリペイドＩＤ）により特定される遊技用有価価値（度数）の大きさの異なる複数種（２０００円、３０００円、５０００円）の遊技用記録媒体（プリペイドカード；ＩＣカード１３）を発行可能とされ、該発行手段（ＭＰＵ４８、ＩＣカードリーダライタ２６）より発行される遊技用記録媒体（プリペイドカード；ＩＣカード１３）の種別を選択する種別選択部（金額選択入力部３３）を具備する
【００７６】
本発明の請求項４は、前記遊技用記録媒体発行装置が、遊技用記録媒体（プリペイドカード；ＩＣカード１３）を受付ける受付け部（ＩＣカード挿入口３０）を有し、前記有価価値特定手段（ＭＰＵ４８、通信部４９）或いは前記合算手段（ＭＰＵ４８）による大きさの有価価値（合計金額）を、該受付けた遊技用記録媒体（プリペイドカード；ＩＣカード１３）の記録情報（プリペイドＩＤ）から特定される遊技用有価価値（度数）の大きさに対して加算更新する価値加算処理を実施する価値加算処理手段（ＭＰＵ４８、ＩＣカードリーダライタ２６）を具備する。
【００７７】
本発明の請求項５は、前記表示情報が情報記録シンボル（バーコード）である。
【００７８】
本発明の請求項６は、前記読み取り手段（バーコードリーダ４６）が、遊技者に対面しないように設けられている。
【００７９】
本発明の請求項７は、前記読み取り手段（バーコードリーダ４６）は、その読み取り部の開口方向が略垂下方向となるように設けられている。
【００８０】
本発明の請求項８は、前記読み取り手段（バーコードリーダ４６）における読み取りの完了を報知する報知手段（読取完了ランプ４１）を具備する。
【００８１】
以上、本発明の実施形態を図面により前記実施例にて説明してきたが、本発明はこれら実施例に限定されるものではなく、本発明の主旨を逸脱しない範囲における変更や追加があっても本発明に含まれることは言うまでもない。
【００８２】
例えば、前記実施例の発行入金機４では、ＩＣカード１３の発行に加えて、発行されたＩＣカード１３への追加入金処理が実施できるようになっているが、本発明はこれに限定されるものではなく、少なくともＩＣカード１３の発行が実施できる構成であれば良い。
【００８３】
また、前記実施例では、遊技用記録媒体の発行に供することが可能な有価価値の大きさを特定可能な表示情報としてバーコードを用いており、このようにすることは表示情報の内容を情報端末の所持者や第三者に把握され難くできるばかりか、これら表示情報の読み取り精度を向上でき、バーコードデータへの変換も容易であることから好ましいが、本発明はこれに限定されるものではなく、これら表示情報を、ＯＣＲ文字等にて表示して表示文字を読み取るようにしたりしても良く、これら表示情報は読み取りや変換の容易性等から適宜に選択すれば良い。
【００８４】
また、前記実施例では、情報記録シンボルとしてバーコードを用いているが、本発明はこれに限定されるものではなく、これら情報記録シンボルとして、より記録情報量の多い２次元バーコードであるベリコード等を用いるようにしても良い。
【００８５】
また、前記実施例の発行入金機４では、紙幣や硬貨の投入によりＩＣカード１３の発行並びに追加入金処理が実施可能とされているが、本発明はこれに限定されるものではなく、少なくとも前記携帯電話５等の情報端末を利用してＩＣカード１３の発行や追加入金処理ができる構成であれば良い。
【００８６】
また、前記実施例の発行入金機４では、投入された紙幣や硬貨の金額と携帯電話５に表示されるバーコードを利用して特定される残金額とを合算してＩＣカード１３の発行並びに追加入金処理が実施可能とされているが、本発明はこれに限定されるものではなく、投入された紙幣や硬貨に基づく発行並びに追加入金処理と、携帯電話５を利用して特定される残金額に基づく発行並びに追加入金処理と、を個別に実施するようにしても良い。
【００８７】
また、前記実施例の発行入金機４では、金額選択入力部３３が設けられ、利用者の所望とする金額のＩＣカード１３を発行できるようになっているが、本発明はこれに限定されるものではなく、例えば、これらＩＣカード１３の金額を一律として発行するようにしても良い。
【００８８】
また、前記実施例の発行入金機４では特に実施していないが、携帯電話５におけるプリペイドカードの発行や追加入金への利用額が所定の上限額を超過する場合に、その当日において該携帯電話５による発行や追加入金処理が実施できないようにすること等の機能を付加することは任意とされる。
【００８９】
また、前記実施例では、本発明の遊技用記録媒体発行装置としての機能を遊技島１の端部に設けられた発行入金機４に適用しているが、本発明はこれに限定されるものではなく、例えば、図１０に示すカードユニット３’に示すように、前記発行入金機４に設けたバーコード読取部４０と同様のバーコード読取部１００や読取完了ランプ４１と同様の読取完了ランプ１０１を設けるともに、該カードユニット３’内部に、カード挿入発行口１０２からプリペイドカードの発行を可能とするプリペイドカード発行機能を付加して、該カードユニット３’において前記携帯電話５の表示部５’に表示されたバーコードを用いて新規のプリペイドカードの発行を受けられるようにしても良い。更には、前記発行入金機４において実施可能とされている追加入金処理機能を、前記カードユニット３’に付加するようにしても良く、このようにすることは、パチンコ機２から離席することなく、発行および入金を実施できるようになることから、遊技者の利便性を向上できるとともに、遊技場にあっては、遊技機であるパチンコ機２の稼働率を向上できることから好ましい。
【００９０】
また、前記実施例では、遊技者の所持する情報端末としてインターネットの接続機能を有する携帯電話５を例に説明しているが、本発明はこれに限定されるものではなく、これら情報端末としてＰＨＳ端末や電子手帳やパームトップコンピュータ等のモバイルコンピュータであっても良い。
【００９１】
また、前記実施例では、バーコードの発行をバーコードサービス提供会社が実施するようにしているが、本発明はこれに限定されるものではなく、これらバーコードサービスを銀行等の金融機関が実施したり、携帯電話会社が実施したり、前記カード会社が実施するようにしても良い。
【００９２】
また、前記実施例では遊技用記録媒体であるプリペイドカードとしてのＩＣカード１３に遊技用有価価値である度数を特定可能な情報としてプリペイドＩＤを記録するようになっているが、本発明はこれに限定されるものではなく、これらＩＣカード１３に前記度数を直接記録するようにしても良いし、これら度数と前記プリペイドＩＤの双方を記録するようにしても良い。
【００９３】
また、本実施例では、前記ターミナルコンピュータ６にて生成されたプリペイドＩＤを遊技用有価価値を特定可能な情報としてプリペイドカードとしてのＩＣカード１３に記録しているが、本発明はこれに限定されるものではなく、これらプリペイドＩＤに代えて、ＩＣカード１３に予め記録されているカードＩＤを使用するようにしても良い。
【００９４】
また、本実施例では遊技用記録媒体として非接触のＩＣカード１３を用いているが、本発明はこれに限定されるものではなく、これを接触型のＩＣカードとしたり、その他磁気カードやＩＣコイン等の記録媒体等であっても良く、これら遊技用記録媒体としては、前記遊技に使用可能な遊技用有価価値の大きさを特定可能な情報を読み取り可能に記録できるものであれば特に限定されるものではない。
【００９５】
また、前記実施例においては、遊技機として遊技媒体であるパチンコ球が外部に払い出される通常のパチンコ機２を用いているが、本発明はこれら通常のパチンコ機のみならず、これらパチンコ球が指触不能に封入された封入式パチンコ機や、パチンコ球を用いたスロットマシンや、コインを用いて遊技を行うコイン遊技機並びにスロットマシンや、コインが外部に排出されることなく遊技可能なスロットマシン、さらにはこれら遊技媒体を用いずにデータ等により遊技可能な遊技機や、遊技盤やパチンコ玉が画像にて表示される画像式のパチンコ機や、リールが画像にて表示される画像式のスロットマシンにも適用可能であることはいうまでもなく、これら遊技機が限定されるものではない。
【００９６】
【発明の効果】
本発明は次の効果を奏する。
（ａ）請求項１の発明によれば、十分な貨幣を持ち合わせていなくても、遊技者は自分の所有する情報端末、例えば携帯電話等を用いて遊技用記録媒体の発行を受けられるようになることから、貨幣を引き出す面倒を解消できるばかりか、これら貨幣の引き出しに出向くこと等に伴う遊技台の稼働率低下も大幅に低減することができる。
【００９７】
（ｂ）請求項２の発明によれば、前記有価価値特定手段にて特定された有価価値の大きさが前記有価価値特定手段にて特定された有価価値の大きさが発行を受けたい遊技用記録媒が該当する金額に不足している場合において、貨幣を投入することで、前記合算手段によって該投入貨幣の有価価値の大きさが前記有価価値特定手段にて特定された有価価値と合算され、該合算された大きさの有価価値を遊技用記録媒体の発行に供することが可能となり、貨幣投入にて不足金額を補充することができ、遊技者の利便性を向上できる。
【００９８】
（ｃ）請求項３の発明によれば、遊技者は希望する遊技用有価価値の大きさの遊技用記録媒体を選択して発行を受けられる。
【００９９】
（ｄ）請求項４の発明によれば、既に発行されている遊技用記録媒体への価値加算処理が可能となり、遊技用記録媒体の発行枚数並びに発行コストを低減できる。
【０１００】
（ｅ）請求項５の発明によれば、表示情報の内容を情報端末の所持者や第三者に把握され難くできるばかりか、前記読み取り手段による読み取り精度を向上できる。
【０１０１】
（ｆ）請求項６の発明によれば、読み取り用の比較的高強度の光が遊技者に向けて照射され、誤って遊技者の目に入射する危険性を大幅に低減できる。
【０１０２】
（ｇ）請求項７の発明によれば、遊技者は、情報端末の表示部を上方に向けた状態にて読み取りを受けることが可能となり、該読み取りの操作性を向上できる。
【０１０３】
（ｈ）請求項８の発明によれば、遊技者は、読み取りの完了を知覚できるようになる。
【図面の簡単な説明】
【図１】本発明の実施例における遊技場に設置された遊技島を示す外観斜視図である。
【図２】本発明の実施例における遊技場に設置された発行入金機、ターミナルコンピュータと、利用者の携帯電話と、カード会社に設置されている管理コンピュータ並びにバーコードサービス提供会社のサーバコンピュータの接続状況を示すブロック図である。
【図３】本発明の実施例における発行入金機の外観斜視図である。
【図４】本発明の実施例における発行入金機の構成を示すブロック図である。
【図５】本発明の実施例におけるバーコード読取部４０の構成を示す断面図である。
【図６】本発明の実施例における発行入金機に設けられたＩＣカードリーダライタの構成を示す断面図である。
【図７】本発明の実施例において用いたＩＣカードを示す一部破断正面図である。
【図８】本発明の実施例におけるバーコードサービス提供会社のサーバコンピュータへのアクセスによる携帯電話の表示部に表示される表示内容を示す図である。
【図９】本発明の実施例における発行入金機での発行処理に伴うデータの流れを示すブロック図である。
【図１０】本発明のその他の実施形態を示す図である。
【符号の説明】
１        遊技島
２        パチンコ機（遊技機）
３        カードユニット
３’      カードユニット
４        発行入金機（遊技用記録媒体発行装置）
５        携帯電話（情報端末）
５’      表示部
６        ターミナルコンピュータ
７        基地局
８        ゲートウェイサーバ
９        インターネット網
１０      サーバコンピュータ（バーコードサービス提供会社）
１１      管理コンピュータ（カード会社）
１２      専用回線
１３      ＩＣカード（遊技用記録媒体；プリペイドカード）
１４      専用回線
２１      作動表示部
２２      筐体
２３      貨幣投入部
２４      硬貨投入口
２５      紙幣挿入口
２６      ＩＣカードリーダライタ（発行手段、価値加算処理手段）
２７      処理中ランプ
２８      上限額超過報知ランプ（報知手段）
２９      カードインジケータ
３０      ＩＣカード挿入口（受付け部）
３１      硬貨返却口
３２      紙幣排出口
３３      金額選択入力部（種別選択部）
３４      返却ボタン
３５      紙幣インジケータ
３６      硬貨インジケータ
３７      紙幣インジケータ
３８      合計金額表示部
３９      アンテナモジュール
４０      バーコード読取部
４１      読取完了ランプ（報知手段）
４２      硬貨識別ユニット（貨幣処理手段）
４３      紙幣識別ユニット（貨幣処理手段）
４４      紙幣払い出しユニット
４５      記憶装置
４６      バーコードリーダライタ
４７      表示ドライバ
４８      マイクロプロセッシングユニット（ＭＰＵ；有価価値特定手段、合算手段）
４９      通信部（有価価値特定手段）
８１      基体
８２      ＩＣチップ
８３      パターンコイル
８４      フレキシブルプリント基板
８５      トップフィルム
８６      駆動モータ
８７      搬送ローラ
８８      搬送ローラ
８９      電磁ソレノイド
９０      通信ヘッド
９１      搬送ベルト
９２      制御基板
９３      駆動モータ
９４      フリーローラ
９５      搬送ローラ
９６      カード貯留部
９７      挿入センサ
９８      ガイドレール
９９      駆動モータ
１００    バーコード読取部
１０１    読取完了ランプ
１０２    カード挿入発行口
【図１】
0004910160.tif 000002
【図２】
0004910160.tif 000003
【図３】
0004910160.tif 000004
【図４】
0004910160.tif 000005
【図５】
0004910160.tif 000006
【図６】
0004910160.tif 000007
【図７】
0004910160.tif 000008
【図８】
0004910160.tif 000009
【図９】
0004910160.tif 000010
【図１０】
0004910160.tif 000011